(57)【要約】  【課題】５．１ないし７．１チャネルの音声チャネルを有する装置で、実際のスピーカ接続を知り、最適な多チャネル再生を容易にできるようにする。  【解決手段】オーディオアンプ側で、たとえば端子のインピーダンスを測るなどして、実際のスピーカ配置を知る。誤接続があれば警告する。この情報をＥＤＩＤ信号で信号源に伝え、最適なチャネル数の信号を送る。映像表示部との接続にもＥＤＩＤ信号を用い、それが固有に持つスピーカの接続を知る。映像表示部のスピーカを前方スピーカのチャネルに用い、たとえば７．１チャネルでの音声再現を容易にする。【選択図】  図１
2010035216.tif 000002
【特許請求の範囲】
【請求項１】
音声信号出力装置から出力された複数の音声チャネルを含む音声信号が入力され、該入力音声信号を処理して接続されたスピーカまたはヘッドホンに供給するための音声処理装置であって、
前記スピーカ又はヘッドホンの接続状態を記憶する状態記憶部を設け、
該状態記憶部は、前記スピーカ又はヘッドホンが接続されているか否かを検出するための検出回路の検出結果又はユーザ設定、それらの組合せのいずれかの設定を記憶し、
該状態記憶部の記憶に基づいて、スピーカ又はヘッドホンの接続状態に関する情報を前記音声信号出力装置に送信するための制御回路を備えたことを特徴とする音声処理装置。
【請求項２】
前記検出回路におけるスピーカ接続の検出は、前記出力端子における電気的なインピーダンスを測定して行われることを特徴とする請求項１に記載の音声処理装置。
【請求項３】
音声信号出力装置と、該音声信号出力装置から出力された複数の音声チャネルを含む音声信号が入力され、該入力音声信号を処理して接続されたスピーカ又はヘッドホンに供給するための音声処理装置とを備えた音声処理システムであって、
前記スピーカ又はヘッドホンの接続状態を記憶する状態記憶部を設け、
該状態記憶部は、前記スピーカ又はヘッドホンが接続されているか否かを検出するための検出回路の検出結果又はユーザ設定、それらの組合せのいずれかの設定を記憶し、
該状態記憶部の記憶に基づいて、該スピーカ又はヘッドホンの接続数に対応した音声チャネル数に関する情報を前記音声信号出力装置に送信するための制御回路を備えたことを特徴とする音声処理システム。
【請求項４】
前記音声信号出力装置は、前記音声処理装置から出力された前記音声チャネル数に関する情報を入力し、該情報に対応する音声チャネル数の音声信号を生成して前記音声処理装置に供給することを特徴とする請求項３に記載の音声処理システム。
【請求項５】
前記音声出力装置は、前記音声信号とともに映像信号を出力するように構成され、前記音声処理装置は、少なくとも前記音声出力装置から出力された映像信号を、該音声処理装置に接続される表示装置に供給することを特徴とする請求項３に記載の音声処理システム。
【請求項６】
前記音声出力装置は、前記音声信号とともに映像信号を出力するように構成され、前記音声処理装置は、前記音声出力装置から出力された映像信号を表示するための表示装置に内蔵されることを特徴とする請求項１に記載の音声処理装置。
【請求項７】
映像信号及び複数の音声チャネルを含む音声信号を処理して、該映像信号を映像表示装置に供給し、音声信号を接続されたスピーカに供給するための音声処理装置であって、
前記映像信号に対して、前記映像表示装置に付属するスピーカの数に応じたチャネル数の音声信号を重畳して、映像表示装置に供給するための音声重畳回路を備えたことを特徴とする音声処理装置。
【請求項８】
前記音声処理装置にヘッドホン接続端子とヘッドホン検出回路を設け、該ヘッドホン検出回路の検出結果により前記映像表示装置に供給する音声信号の重畳を停止させることを特徴とする請求項７に記載の音声処理装置。
【請求項９】
映像信号及び複数の音声チャネルを含む音声信号を処理して、該映像信号を映像表示装置に供給し、音声信号を接続されたスピーカに供給するための音声処理装置であって、
前記音声処理装置のスピーカ接続端子に前記スピーカが接続されているか否かを検出するための第一の検出回路と、
前記映像表示装置に付属するスピーカを検出する第二の検出回路と、
入力された複数の音声チャネルを含む音声信号を該第一と第二の検出回路の検出結果に応じた音声処理を行い、第二の検出回路の検出結果に応じたチャネル数以下の音声信号を前記映像信号に重畳して前記映像表示装置に供給する音声重畳回路と、を備えたことを特徴とする音声処理装置。
【請求項１０】
前記第一の検出回路によって特定チャネルのスピーカ接続端子にスピーカが接続されていないと検出された場合、前記音声重畳回路は、該特定チャネルの音声信号を前記映像信号に重畳して、該特定チャネルの音声信号を前記映像表示装置に付属するスピーカで再生するようにしたことを特徴とする請求項９に記載の音声処理装置。
【請求項１１】
前記第一の検出回路によって特定チャネルのスピーカ接続端子にスピーカが接続されていると検出された場合、前記音声重畳回路は、該特定チャネルの音声信号のレベルを通常よりも低下させて前記映像信号に重畳する、もしくは該特定チャネルの音声信号の映像信号に対する重畳を停止することを特徴とする請求項９に記載の音声処理装置。
【請求項１２】
前記映像表示装置に供給する音声信号は、前記音声処理装置に入力される音声信号が５．１チャネルの場合、前方右（ＦＲ）チャネルおよび前方左（ＦＬ）チャネル、及び／又は中央（Ｃ）チャネルであることを特徴とする請求項９に記載の音声処理装置。
【請求項１３】
前記第一の検出回路によって前記スピーカ接続端子に第１のチャネルのスピーカが接続されていると検出された場合、前記音声重畳回路は、第２のチャネルの音声信号を前記映像信号に重畳することを特徴とする請求項９に記載の音声処理装置。
【請求項１４】
前記第１チャネルは、前記入力音声信号が７．１チャネルの場合、前方右（ＦＲ）チャネル、前方左（ＦＬ）チャネルおよび中央（Ｃ）チャネルであり、前記第２チャネルは、右側中央寄り（ＦＲＣ）チャネルおよび左側中央寄り（ＦＬＣ）チャネルであることを特徴とする請求項１３に記載の音声処理装置。
【請求項１５】
前記第一の検出回路による検出結果を用いて、スピーカの接続状態に関する視覚的なメッセージをユーザに提供するためのＯＳＤ（On Screen Display）回路と、前記映像信号にＯＳＤ回路出力を重ね合わせた映像信号又はＯＳＤ回路出力に置換して前記映像信号表示装置に供給する加算回路とを備えたことを特徴とする請求項９に記載の音声処理装置。
【請求項１６】
信号出力装置から出力された映像信号と音声信号が入力され、該入力映像信号を処理して表示し、かつ該入力音声信号を処理してスピーカ又はヘッドホンに供給するための映像表示装置であって、
前記スピーカ又はヘッドホンの動作状態を検出するための検出回路の検出結果又はユーザ設定、それらの組合せのいずれかを記憶する状態記憶部と、該状態記憶部の記憶に基づいて、スピーカ又はヘッドホンの接続状態に関する情報を前記信号出力装置に送信するための制御回路と、を備えたことを特徴とする映像表示装置。
【請求項１７】
スピーカが接続された外部音声処理装置から出力された映像信号を処理して表示する映像表示装置であって、
ヘッドホン接続端子とヘッドホン検出回路を設け、ヘッドホン検出回路の検出結果を前記外部音声処理装置に送出する制御回路を備えたことを特徴とする映像表示装置。
【請求項１８】
音声信号出力装置からの信号を受け、これを処理して出力する音声処理装置において、
該音声処理装置が接続されたことを、音声信号出力装置に知らしめるためのホットプラグ機能と、該音声処理装置の構成を、音声出力装置に伝えるプラグ・アンド・プレイ機能と、該音声処理装置の構成等が変化した場合に、該音声処理装置が音声信号出力装置との接続を切断後に再接続状態として、音声信号出力装置のプラグ・アンド・プレイ動作開始を要求する機能を有し、
該音声信号出力装置がホットプラグ機能による短時間の切断にも応答して、再接続後のプラグ・アンド・プレイ動作を処理できることを、該音声処理装置が認識した場合は、認識しない場合に比べて切断状態を短時間にしたことことを特徴とする音声処理装置。
【請求項１９】
映像を表示し、音声を再現する映像表示装置において、
該映像表示装置が接続されたことを、映像信号出力装置に知らしめるためのホットプラグ機能と、該映像表示装置の構成情報を、映像信号出力装置に伝えるプラグ・アンド・プレイ機能と、該映像表示装置の構成等が変化した場合に、該映像表示装置がホットプラグ機能を用いて、映像信号出力装置との接続を切断後に再接続状態として、映像信号出力装置のプラグ・アンド・プレイ動作開始を要求する機能を有し、
該映像信号出力装置がホットプラグ機能による短時間の切断にも応答して、再接続後のプラグ・アンド・プレイ動作を処理できることを、該映像表示装置が認識した場合は、認識しない場合に比べて切断状態を短時間にしたことを特徴とする映像表示装置。
【請求項２０】
音声信号を処理する回路を備えた音声処理装置において、
再生される音声信号のチャネル数に関する複数の選択肢を含むメニュー画面を、ユーザに提示するためのOSD回路と、
該OSD回路によって表示されたメニュー画面からユーザが選択した選択肢に対応するチャンネル数を用いて、音声信号のチャンネル数を制御するための制御信号を生成する信号生成回路とを有することを特徴とする音声処理装置。
【請求項２１】
更に、前記信号生成回路からの制御信号に基づいて、音声信号のチャンネル数を制御する音声チャンネル数制御回路を有することを特徴とする請求項２０に記載の音声処理装置。
【請求項２２】
前記メニュー画面は、前記装置にスピーカが接続されていない場合に、スピーカを接続することを促すメッセージを含むことを特徴とする請求項２０に記載の音声処理装置。
【請求項２３】
映像信号、音声信号、及び少なくとも番組の種類に関するデータを含む番組情報有するテレビジョン放送信号を受信して音声を再生する装置において、
複数の番組の種類に各々対応して、再生すべき音声チャネル数のデータを記憶するメモリと、前記受信した番組情報に含まれる番組の種類に関するデータを用いて、そのデータに対応する前記再生音声チャネル数のデータを前記メモリから読み出す読み出し回路と、前記読み出し回路から読み出された前記再生音声チャネル数のデータを用いて、再生される音声信号のチャンル数を制御する音声チャネル数制御回路とを備えることを特徴とする音声再生装置。
【発明の詳細な説明】
【技術分野】
【０００１】
本発明は、テレビジョン放送、あるいはＶＴＲ、ＤＶＤ（Digital Versatile Disc）、ハードディスクレコーダなどの蓄積装置から得られた複数チャネル(例えば、5.1、7.1チャネル)の音声信号を良好に再生するための技術に関する。
【背景技術】
【０００２】
テレビジョン放送、および映画ソフトなどのパッケージメディアにおいて、映像信号及び音声信号のディジタル化が進んでいる。ディジタル音声信号は多チャネル化が進み、例えばＤＶＤの音声には、正面左（ＦＬ）、正面右（ＦＲ）、中央（Ｃ）、背面左（ＲＬ）、背面右（ＲＲ）の５チャネルと、低音再生用のサブウーハ（Ｓ）を合わせた通称５．１チャネル音声を再現できるものがある。また、正面やや左（ＦＬＣ）、正面やや右（ＦＲＣ）を含めた７．１チャネルの音声を再生するものもある。
【０００３】
このように音声信号の多チャネル化が進むと、スピーカケーブルの接続が煩雑となり、誤接続の恐れがある。多数あるスピーカの接続作業を簡単にするための第一の従来技術として、例えば特許文献１に記載のものが知られている。この文献には、５．１チャネルのスピーカを接続するに際し、スピーカの配置をスピーカから出力されるテスト信号で判定し、不適当な配置や接続があった場合に、通知すると共に、スピーカとの接続をオーディオアンプで切換えることが開示されている。
【０００４】
第二の従来技術として、例えば特許文献２に記載のものが知られている。この文献には、スピーカに接続されていない端子を検出し、そのスピーカへ供給されるべき音声信号を他のスピーカへ振り分けることが記載されている。
【先行技術文献】
【特許文献】
【０００５】
【特許文献１】特開２００１−２５０８５号公報
【特許文献２】特開平１０−９４０８６号
【発明の概要】
【発明が解決しようとする課題】
【０００６】
しかしながら、上記第一の従来技術は、音声信号処理装置に一部のスピーカが接続されていない場合について警告表示のみで自動的に対応する方法が示唆されていなかった。例えば、音声信号処理装置の一つであるオーディオアンプ付スイッチャ装置が５．１チャネルに対応していても、ユーザが適切な処理を行わない場合、音響効果が不満足なものとなる恐れがある。
【０００７】
第二の従来技術は自動的に処理を行っており、手動による音声処理のための指令を与える必要がない。しかしながら、第二の従来技術は、音声信号の振り分け処理が該オーディオアンプ内でのみ行われている。このため、例えば、オーディオアンプに接続される音声信号源が、そのオーディオアンプに接続されたスピーカ数を知ることができず、ステレオや５．１チャネル等複数の音声信号を供給できる場合でも、適切な音声信号を提供できない。
【０００８】
また上記第一及び第二の従来技術には、テレビジョン受像機等の映像表示装置に元々備わっているスピーカをも有効に利用したり、スピーカを接続する際に、映像表示装置の映像表示部を利用したりすることについても考慮されていなかった。
【０００９】
本発明は、上記した問題に鑑みてなされたものである。本発明の目的は、音声処理装置に接続されるスピーカの接続状態を音声信号源に伝えてそれに適した音声データを要求し、好適に音声の再生を行うことを可能にするための技術を提供することにある。また、本発明は、映像表示装置に備わっているスピーカをも有効に利用して、より優れた音声の再生を行うことが可能の技術を提供する。更に、本発明は、映像表示装置の表示部を活用して煩雑な多チャネルスピーカの接続を、容易に確認できるような技術を提供する。
【課題を解決するための手段】
【００１０】
上記目的を達成するために、本発明は、スイッチャ装置などの音声信号処理装置に、複数の音声チャネルに対応した音声信号の各出力端子に対するスピーカの接続状態を検出する検出回路と、該検出回路の検出結果に基づいて、スピーカの接続状態に関する情報を、例えばＳＴＢ等の音声信号出力装置に送信するための制御回路とを設けた。この音声処理装置の構成は、テレビジョン受像機等の映像表示装置に設けてもよい。
【００１１】
音声信号出力装置は、上記スピーカの接続状態に関する情報を入力し、該入力情報に基づいて、前記音声処理装置に供給する音声チャネルの数を制御するようにしている。
【００１２】
具体的に、上記音声処理装置は、上記検出回路によって出力端子に特定チャネル(例えば、前方右（ＦＲ）チャネルおよび前方左（ＦＬ）チャネル、及び／又は中央（Ｃ）チャネル)のスピーカが接続されていないと検出された場合、この特定チャネルの音声信号を映像信号に重畳して、該特定チャネルの音声信号を前記映像表示装置に付属するスピーカで再生するように構成されるものであってもよい。
【００１３】
また、スピーカを接続する際には、ＯＳＤ（On Screen Display）回路を設け、このＯＳＤ回路により、上記検出回路による検出結果を用いて、スピーカの接続状態に関する視覚的なメッセージをユーザに提供するようにすることが好ましい。このメッセージとしては、例えばスピーカの誤接続、スピーカの接続の有無を示す情報を含むようにしてもよい。また、上記ＯＳＤ回路によりスピーカの配置を表示し、各スピーカに試験音声信号を与える際に、試験中のスピーカを視覚的に判定できるための表示を行うようにしてもよい。
【発明の効果】
【００１４】
本発明によれば、スピーカの接続状況に応じて、多チャネルの音声信号を好適に再生することが可能となる。また、スイッチャなどに接続されるスピーカの他に、映像表示装置のスピーカも併せて利用することが可能となり、より高い音響効果を得ることができる。また、スピーカの接続状況を映像表示装置に表示するようにしているので、スピーカの接続が容易かつ確実に行える効果がある。
【図面の簡単な説明】
【００１５】
【図１】本発明の実施形態を示す装置ブロック図。
【図２】本発明の別の実施形態を示す装置ブロック図。
【図３】本発明の別の実施形態を示す装置ブロック図。
【図４】本発明で用いる信号源とスイッチャのブロック図
【図５】本発明で用いる信号源とスイッチャのブロック図
【図６】本発明で用いる映像表示部のブロック図
【図７】本発明で用いる映像表示部における表示例を示す図
【図８】本発明で用いる映像表示部における表示例を示す図
【図９】本発明の別の実施形態を示す装置ブロック図。
【図１０】本発明で用いる信号源と信号源内蔵スイッチャのブロック図
【図１１】本発明で用いる信号源とスイッチャのブロック図
【図１２】本発明で用いる映像表示部のブロック図
【発明を実施するための形態】
【００１６】
本発明は、テレビジョン放送を受信して音声信号、映像信号を出力する放送受信装置(以下、ＳＴＢ(set-top-box)と呼ぶ)、ＶＴＲ，ＤＶＤ等の音声信号出力装置(当然映像信号も出力され得る)、この音声信号出力装置からの信号を処理して複数のスピーカに分配するためのスイッチャ等の音声処理装置、またはテレビジョン受像機等の映像表示装置に適用される。
【００１７】
以下、本発明の実施形態について、図面を参照しながら説明する。図１は本発明の一実施形態を示す装置ブロック図である。本実施形態の装置は、映像表示装置１、音声再現装置２及び信号源３を有する。映像表示装置１と音声再現装置２とは、プラグ・アンド・プレイ機能を含む映像音声信号伝送線２３１で互いに接続されている。この伝送線については、ＰＣ（Personal Computer）の本体と表示装置の接続規格であるＤＤＷＧ（Digital Display Working Group）制定のＤＶＩ１．０（Digital Visual Interface version 1.0）、及び独立の音声伝送線を併用したインターフェイスを使用してもよい。またディジタル映像信号とディジタル音声信号を重畳して送信するためのインターフェイス使用してもよい。
【００１８】
尚、以下の本実施形態の説明において、「プラグ・アンド・プレイ機能」とは、信号送信部と信号受信部をケーブル接続した際に、人手を介さずに、信号受信部の特性データを信号送信部が把握して、信号受信部に最適な信号を自動的に送信する機能を指す。
【００１９】
本発明の実施形態は、実際に機能できる状態のスピーカを映像音声信号源に知らせるための工夫がなされている。さらには、スピーカ結線の状態が変わった際に、映像音声信号源はこれを知ることができ、動作中でも新しい状態に適した音声出力が得られるようにする工夫が成されている。
【００２０】
まずスイッチャ２０１は、スピーカケーブル２２０から２２５が接続される各端子において、負荷のインピーダンスを測りスピーカ接続の有無を検出する。有無だけであるならば、さほど厳密な測定である必要はなく、出力インピーダンスを有する信号源を設けて、端子に現れる電圧をおおまかに測るような方法でも良い。また、たとえばサブウーハ２１０などは低音を再生する特殊なスピーカであるから、他のスピーカとは内部インピーダンスを変えて設計し、または入力端子間を容量で短絡して高周波でのインピーダンスを低くするなどすれば、接続の有無のみならず、スピーカの種類も判定でき、誤接続を検出できる。
【００２１】
なお、後記するように本発明のシステムでは映像表示部１０１を有することが特徴であるから、検出したスピーカ接続を表示部に図示して表し、誤接続があれば警告表示をすることができる。たとえばリア側のスピーカでＲＬが接続されていながら、ＲＲが接続されていない場合など、これを警告し、さらにはＲＬ側からＲＬとＲＲを加算した信号を出力する旨を、知らせることもできる。
【００２２】
また、例えばスピーカが５．１チャネル接続されていた場合に、映像表示部１０１に模式的なスピーカの配置図を出し、各スピーカに試験信号を送り、同時に映像表示部上の当該スピーカを点滅などして表示させ、実際に音の来る方向と矛盾がないかをユーザに確認させる機能を有することで、スピーカの配置ミスも簡単に知ることができる。
【００２３】
次に、スイッチャ２０１が実際に接続されているスピーカを検出した後、これを映像音声信号源３０１，３０２に知らせるための構成について述べる。これはプラグ・アンド・プレイ機能を実現するために、識別子として、例えばＶＥＳＡ（Video Electronics Standards Association）制定のＥＤＩＤ(Extended Display Identification Data)信号に、スピーカ接続の情報を付加することにより行われる。このＥＤＩＤ信号は、周知のように表示装置の仕様(対応可能水平周波数範囲やピクセル数)等を記述したデータであるが、本実施形態は、このＥＤＩＤ信号にスピーカの接続状況に関する情報も付加して映像音声信号源３０１，３０２に通知するように構成したものである。
【００２４】
映像音声信号源の要求でスイッチャ−は、ＥＤＩＤ信号を送るが、事前にスピーカの検出を行っておけば、スイッチャ２０１の持つ初期状態のスピーカ配置情報の代わりに、実際に接続されたスピーカの情報に書き換えたＥＤＩＤ信号を送ることができる。またスピーカの検出が終わる前にＥＤＩＤ信号は送出済みとなるならば、検出終了後にホットプラグ機能を用いて、スイッチャ２０１と映像音声信号源３０１，３０２の接続を一旦切断し、再度新たなＥＤＩＤ信号を送るようにする。このためには、ＥＤＩＤ信号を送出済みであるか否かを、ＲＡＭ（Random Access Memory）などに記憶しておいても良い。なおホットプラグ機能は、本来、音声再現装置と映像音声信号源がケーブル接続されたことを示す機能であり、数十ミリ秒程度の切断時間では切断と再接続を認識できないことが考えられるので、確実動作を考えると０．５〜２秒程度の切断時間が望ましく、その切断時間中は装置の機能が中断する。ホットプラグ専用線を独立に用意しておけば、ホットプラグ端子のみを切断する仮想的な切断とすることができ、映像や音声信号の伝送は継続してもかまわない。ホットプラグ機能が無い場合に備え、映像音声信号源が所定の時間例えば０．５〜２秒程度毎にＥＤＩＤデータの読み込みを続ける機能を持たせておくと尚好都合である。
【００２５】
次に、プラグ・アンド・プレイ機能付の映像音声伝送線２３１に関して述べる。図２の装置ブロック図を参照しながら、ＦＲスピーカ２１１とＦＬスピーカ２１２が接続されていない、あるいは存在しない場合を考える。図中で斜線を付したスピーカはスピーカケーブルで接続されているとする。スピーカケーブル２２１，２２２は図中破線で記入し、また×印を付したとおり接続されていないものとする。この二つのスピーカ２１１，２１２は正しい音場感を得るうえでは、欠くことのできないものである。そこで、前記したオーディオアンプ付スイッチャ２０１によるスピーカの検出により、これらが接続されていないことを知った場合、スイッチャ２０１は映像表示部１０１へＦＲ，ＦＬチャネルの音声信号を送り、表示部の持つ右スピーカ１１１と、左スピーカ１１２で音声を再現できるようにする。これにより、前方の主スピーカがないことによる不具合を解消できる。映像表示部１０１にスピーカが接続されているか否かは、映像音声伝送線２３１を介して伝達されるＥＤＩＤ信号を検出することで、スイッチャ２０１は知ることができる。そのためには、前記したスピーカが実際に接続されているか否かを検出する機能を、映像表示部１０１にも有すことにより、さらに正しく音声を再現することができる。なお、ＦＲスピーカ２１１とＦＬスピーカ２１２が接続されており、表示部の持つ右スピーカ１１１と、左スピーカ１１２を使用する必要のない場合には、映像表示部１０１に送る音声信号を停止（Mute）し、あるいは無音のデータを送り、あるいは通常よりレベルを下げた音声信号を送るようにすると良い。
【００２６】
また前記したとおり、図２で示したようなスピーカの配置図を、装置の立上げ時などに映像表示部１０１に表示し、各スピーカの接続の有無を表すとユーザに分かり易い。このためには、スイッチャ２０１などに図や文字の表示を行うためのＯＳＤ（On Screen Display）回路を設けると良い。
【００２７】
図２の例では、映像音声信号源３０１ないし３０２から５．１チャネルの音声が発生されれば、映像表示部のスピーカ１１１，１１２を用いた５．１チャネルの音声再現が可能である。そこで、スピーカ２１１，２１２が接続されていないことを検出した際に、図７で模式的に示したような案内を映像表示部１０１に出しても良い。
【００２８】
以上述べた事項の変形として、ＦＲ，ＦＬチャネルのスピーカ２１１，２１２が接続されていても、Ｃチャネルの中央スピーカ２１０が接続されていない場合、スイッチャ２０１は映像表示部１０１へＣチャネルの音声信号を送り、表示部の持つ右スピーカ１１１と左スピーカ１１２、ないしそのいずれか一方で音声を再現できるようにしても良い。これにより、映像表示部１０１のスピーカを利用した豊かな音場感を得ることができる。
【００２９】
現在はＦＲ，ＦＬ，Ｃ，ＲＲ，ＲＬ，Ｓのチャネルを用いた５．１チャネルの音声を、ＤＶＤなどで再生できるが、将来、さらに臨場感を増すために、前右側中央寄りチャネル（ＦＲＣ）、前左側中央寄りチャネル（ＦＬＣ）の二つのチャネルを加えた７．１チャネルの音声を使うことが考えられる。ＦＲ，ＦＬチャネルのスピーカが接続されている場合には、一般にこれらよりは中央寄りに位置しやすい映像表示部のスピーカを、ＦＲＣ，ＦＬＣチャネルに用いて７．１チャネルの音声を再現すると良い。スイッチャ２０１は、５．１チャネルのスピーカが接続されていることを前記した方法で検出し、また映像音声伝送線２３１を介して伝達されるＥＤＩＤ信号を検出して、映像表示部１０１にスピーカが接続されていることを知り、また映像音声信号源３０１ないし３０２から７．１チャネルの音声信号が送られた場合、そのうちＦＲＣ，ＦＬＣチャネルの音声信号は映像音声伝送線２３１を介して、映像表示部１０１へ送られる。なお、以上のようにして７．１チャネルの音声の再現が可能な場合において、映像音声信号源３０１ないし３０２からの音声信号が、５．１チャネルである場合には、たとえばスイッチャ２０１でマトリクス演算を行い、ＦＲＣ，ＦＬＣチャネルの信号を擬似的に作り、映像表示部１０１へ送っても良い。
【００３０】
なお、以上述べた映像表示部１０１の持つスピーカ１１１，１１２を活用する場合は、これらに供給する音声信号は映像音声伝送線２３１に乗せ、これ一本で映像信号とともに送ることができるので、スピーカ毎にスピーカケーブルを引き回す必要がなくなり、配線が容易となる効果もある。
【００３１】
次に図３の装置ブロック図を参照しながら、ＦＲチャネルのスピーカ２１１だけが接続されていない場合を考える。当然ながらこのままでは、正常な音場感は得られない。この場合、スイッチャ２０１はスピーカ２１１が接続されていないことを検出したうえで、図８で模式的に示した文字などによるメニューを表示しても良い。ユーザは図中の番号を選択して、たとえばリモートコントローラなどを使い応答する。図８の場合、１を選べば映像表示部（モニタ）に接続されたスピーカ１１１，１１２を使って２チャネルステレオで再現する。２を選べばスピーカ２１１，２１２は使用せず、スピーカ１１１，１１２を主スピーカとして、スピーカ２１０，２１３，２１４，２１５とともに、５．１チャネルで再現する。３を選べば、ユーザがスピーカ２１１を接続することを前提にして、スピーカ２１１〜２１５を使用して、５．１チャネルで再現する。また４を選べば、ユーザがスピーカ２１１を接続することを前提にして、スピーカ１１１，１１２，２１１〜２１５を使用して、７．１チャネルで再現する。ユーザの選択に応じた音声の再現をすることができる効果がある。
【００３２】
このようなメニュー表示とメニュー選択は、スピーカ配置の変化をスピーカ接続検出回路が検出した時点だけでなく、ユーザ指示、例えばリモートコントローラで任意のタイミングで開始できると、スピーカ接続検出回路の誤動作等の対策にもなり、便利である。また、スイッチャにスピーカ接続検出回路を設けず、ユーザ指示だけで行っても良い。
【００３３】
映像表示部１０１とオーディオアンプ付スイッチャ２０１の間で、音声信号に対する利得が異なると正しい臨場感は再現されない。このためには、利得値を規格化し合わせておくことが考えられる。しかし現状はこの規格がなく、特に異なるメーカの装置の間では、これは容易ではない。リモートコントローラは使用者の近辺に置かれるのが普通であるから、これにマイクロフォンを内蔵し、スピーカ毎に音声を発生させてこれを検出し、最適なバランスとなるよう利得を制御する方法が考えられる。また、映像表示部１０１にスピーカ配置を示す表示を出し、該当するスピーカを点滅するなどして示しながら音声を発生させ、ユーザに最適となるよう調整を依頼する方法もある。また、試験対象スピーカ以外のスピーカをマイクとして動作させることによって、スピーカの配置を推定する方法も考えられる。
【００３４】
たとえばスピーカ１１１，１１２も利用して、前記したように７．１チャネルの音声を再現している時、音楽のみのプログラムでは、途中で映像表示部１０１の電源が切断されることも考えられる。この場合は、映像表示部１０１の電源が入っている時に７．１チャネル、切れている時に５．１チャネルの音声再現となるよう、出力するチャネル数を切換えると良い。映像表示部１０１の電源が入っているか否かは、ホットプラグ機能を使った、映像音声伝送線２３１を介してスピーカ非接続を示すＥＤＩＤ信号の再伝送や、映像表示部１０１の映像音声入力回路の動作状態を映像音声伝送線２３１を介してスイッチャ２０１で検出する方法がある。スイッチャ２０１が映像表示部の電源が切れている、ないし切れたことを知った時に、スイッチャ２０１でのマトリクス演算で音声を５．１チャネルに変換して、各スピーカ２１０〜２１５へ送るようにしても良い。また前記したホットプラグ機能を用いて、映像音声信号源３０１ないし３０２とスイッチャ２０１の間の接続を一旦切断した後に、新たなＥＤＩＤ信号の授受を行い、映像音声信号源３０１ないし３０２から送り出す音声信号を５．１チャネルとしても良い。このようにすれば、常にスピーカの状態に適した音声の再現ができる。
【００３５】
なお、ホットプラグを用いた切換えは、異なるメーカの装置を用いた場合の互換性を考慮すると、０．５〜２秒程度の時間を見込むことが望ましく、その間装置は機能することができない。同じメーカの装置同士では、設計時に短時間でのホットプラグ動作を考慮した機種であることを確認したうえで、さらに短い時間での切換えを行うことができる。一般に制御信号は映像信号の垂直ブランキング期間に送られるので、ホットプラグ動作による切断時間は、動作マージンを考慮しても、インタレース走査による従来の３フレーム（約２００ｍｓ）以下とすることができる。これにより切断される時間長を短縮できる効果がある。
【００３６】
さらに動作開始時に接続されていなかった音声チャネルに、途中でスピーカが接続された場合、そのままでは該当するスピーカから音声を再現することはできない。ユーザの指令などによってホットプラグ機能を動作させ、前記したスピーカ接続の検出を新たに行った結果をＥＤＩＤ信号のせて、装置間で授受することにより、新たに接続したスピーカも機能できる。以上述べたことを実現するための各構成要素のブロック図について、図４、図５、図６を用いて説明する。図４と図５はオーディオアンプ付スイッチャ２０１と映像音声信号源３０１（ないし３０２）を、図６は映像表示部１０１を示す。
【００３７】
まず図４に基づいて述べる。映像音声信号源３０１は映像信号源３０１０１、音声信号源３０１０２、音声重畳回路３０１０３、送信回路３０１０４、音声チャネル数制御回路３０１０５から成る。なお、スイッチャ２０１との接続のためのプラグ・アンド・プレイ機能付映像音声伝送線３３１は、実際は一本のケーブルであるが、表示の都合上３３１Ａと３３１Ｂに分けて図示している。
【００３８】
映像信号源３０１０１は、放送ないしＤＶＤなどの装置から得た映像情報を、音声重畳回路３０１０３へ送る。音声信号源３０１０２はこの映像情報に伴う音声情報を、同じく音声重畳回路３０１０３へ送る。音声信号源３０１０２からの音声情報のチャネル数は、音声チャネル数制御回路３０１０５の指示に応じて決定される。このチャンネル数制御は、テレビジョン放送、ＤＶＤなどに含まれている音声データの中から必要なチャネル数を抽出して行う場合もある。また、必要に応じてチャネル数を減らす変換、ないし擬似的に信号を作ってチャネル数を増やす変換が行われることもある。このチャネル数の指示は、後述するようにスイッチャ２０１から送られるＥＤＩＤ信号で決定される。音声重畳回路３０１０３で多重化された映像信号と音声信号は、送信回路３０１０４を介してスイッチャ２０１へ送られる。
【００３９】
次にオーディオアンプ付スイッチャ２０１は、スイッチ２０１０１、受信回路２０１０２、音声分離回路２０１０３、加算回路２０１０４、音声出力回路２０１０５、スピーカ接続検出回路２０１０６、制御回路２０１０７、ＯＳＤ回路２０１０８、第一のＥＤＩＤ発生回路２０１０９、第二のＥＤＩＤ発生回路２０１１０、スイッチ２０１１１、音声重畳回路２０１１２から成る。また映像表示装置１との接続のための、プラグ・アンド・プレイ機能付映像音声伝送線２３１は、実際は一本のケーブルであるが、表示の都合上二本に分けて図示している。スピーカケーブル２２０〜２２５は、図１と同様に各々独立している。
【００４０】
プラグ・アンド・プレイ機能付映像音声伝送線３３１Ａより、オーディオアンプ付スイッチャ２０１へ送られた信号は、まずスイッチ２０１０１に与えられる。これは、前記したプラグ・アンド・プレイ機能のためのスイッチである。たとえば装置の電源立上げ時に接続される装置間で、自分の状態を知らせるためにＥＤＩＤ信号を送る際、あるいは、動作中にスピーカの接続が検出され、また接続が変更されたことを検出してＥＤＩＤ信号を送り際には、一旦（最大２秒程度）スイッチ２０１０１は開路される。開閉のタイミングは制御回路２０１０７より与えられる。通常の使用時は閉路されており、映像音声信号は受信回路２０１０２に与えられる。尚、スイッチ２０１０１の回路は模式的に示したものであり、少なくともホットプラグ端子の開路又はレベル変化があれば、必ずしも映像音声の送受信動作を継続してもかまわない。また、ホットプラグ専用線を映像伝送線と独立に配してもよい。
【００４１】
次いで音声分離回路２０１０３で映像信号と音声信号が分離され、前者は加算回路２０１０４へ、後者は音声出力回路２０１０５へ与えられる。また制御回路２０１０７へは、必要に応じて実際に受信された音声信号のチャネル数が知らされる。音声出力回路２０１０５は、たとえば７．１チャネル対応であっても良いが、ここでは図１と同様に５．１チャネル対応とする。
【００４２】
各チャネルの出力には、本発明によるスピーカ接続検出回路２０１０６が設けられており、スピーカ接続端子のインピーダンスを測定するなどして、接続の有無を検出する。その結果に応じて制御回路２０１０７は、再現するに最適な音声のチャネル数を判定して、スイッチ２０１１１に指示をし、第一のＥＤＩＤ発生回路２０１０９、第二のＥＤＩＤ発生回路２０１１０のうち、最適な音声チャネルを指定できるＥＤＩＤ信号を選択して、映像音声信号源３０１に送る。もちろん、ＥＤＩＤ信号は２種類だけではなく、さらに多数の選択ができるようにしても良い。全てのＥＤＩＤデータを複数用意する必要は無く、音声チャネル数に関するＥＤＩＤ部分のみ複数用意して切換えても良い。
【００４３】
また制御回路２０１０７は、さきに図７、図８で示したような文字表示、図２、図３で示したような接続図の表示などを行う場合は、ＯＳＤ回路２０１０８に指示を送り、必要な表示信号を発生させて加算回路２０１０４へ与える。ここで音声分離回路２０１０３からの映像信号へ加算、ないし置換する。なお、ＯＳＤ回路２０１０８による表示が行われている間、現在放送中の情報を受信しているならば、これを背景画像として重ねて表示しても良いが、ＤＶＤなどの再生画像が送られている場合は、これの再生動作を一時停止するようにしても良い。加算回路２０１０４の出力は音声重畳回路２０１１２に与えられる。
【００４４】
先の制御回路２０１０７は、図２、図３などの実施例で示したように映像表示装置１の持つスピーカ１１１，１１２を使用して音声を再現する場合は、音声重畳回路２０１１２に指示を出し、必要な１ないし２チャネルの音声信号を映像信号に重畳し、映像表示装置１へ送るようにする。音声信号は映像表示装置１の持つスピーカの接続数に応じて、Ｃチャネルのみ、あるいはＦＲ，ＦＬの２チャネルを選ぶ。また７．１チャネルの場合はＦＲＣ，ＦＬＣの２チャネルを選ぶこともあり、また５．１チャネルの音声信号から擬似的にＦＲＣ，ＦＬＣの２チャネルを作って送ることもある。
【００４５】
図４において、スピーカ接続端子の一部から信号を並列に取り出して音声重畳回路２０１１２へ入力する例が記されているが、音声分離回路２０１０３の出力を直接音声重畳回路２０１１２へ入力しても良い。スピーカ接続端子はアナログ信号であることが多く、音声分離回路２０１０３や音声重畳回路２０１１２がディジタルデータを扱う場合に有利である。後述する図１０で、音声選択回路２０２０５を経由して音声分離回路２０１０３の出力を音声重畳回路２０１１２へ入力するように構成しても良い。  なお、映像表示装置１の持つスピーカが実際に接続されているか否かは、後記するような映像表示装置１側の類似の手段により、ＥＤＩＤ信号として制御回路２０１０７へ伝えられる。これらを基に制御回路２０１０７は、前記した音声重畳回路２０１１２への指示を決定する。
【００４６】
図５は、本発明において、スピーカの実際の接続は検出するが、映像表示装置１のスピーカを積極的に活用する機能は省略した場合のブロック図を示す。図４と比較して、音声重畳回路２０１１２が省かれている。
【００４７】
図６は本発明における映像表示部１０１の一実施例を示すブロック図である。図６の構成は、映像表示体１０１１２があり、音声信号が二つのスピーカ１１１，１１２へ与えられることを除けば、図４、図５のスイッチャ２０１と同様であるので、詳しい説明は省略する。ここでは映像表示部１０１の持つスピーカが実際に接続されているか否かを検出するための、スピーカ接続検出回路１０１０６を有し、その結果を制御回路に送り、さらに実際の接続状態をスイッチャ２０１に知らせるＥＤＩＤ信号を発生して、前述のとおり最適の音声信号を受信できるようにしたことを特徴としている。プラグ・アンド・プレイの機能のためのスイッチ１０１０１があること、ＥＤＩＤ信号の発生回路は二つとは限らないことなどは、さきのスイッチャ２０１と同様である。
【００４８】
以上の説明において、後述する図１０でＥＤＩＤ−ＲＡＭ２０２０６と例示しているように、ＥＤＩＤ信号の発生回路をＲＡＭ（Random Access Memory）やフラッシュＲＡＭで構成し、その内容をＣＰＵなどで構成される制御回路で書き換えて使うようにすれば、一つの発生回路で、さらに多種の信号を発生することができる。
【００４９】
次に図９の装置ブロック図を用いて、本発明の別の実施例を述べる。図１と異なる点は、図１のオーディオアンプ付スイッチャ２０１が、図９ではオーディオアンプ２０２、スイッチャ２０３と、別の構成要素に分かれていることである。この場合映像表示部１０１に信号を供給するプラグ・アンド・プレイ機能付映像音声伝送線２３１に関しては、これをスイッチャ２０３に接続すれば、図１と同様な動作が可能である。また、スピーカ２１０〜２１５は図１と同様にして、スピーカケーブル２２０〜２２５を介して、オーディオアンプ２０２に接続される。したがいスイッチャ２０３は、映像音声信号源３０１，３０２からの信号を振り分ける機能を有し、映像信号を映像表示部１０１へ送るほか、音声信号の各チャネルを前記した実施例に示したように、スピーカの実際の接続状況に応じ、オーディオアンプ２０２と映像表示部１０１へ分けて送る。
【００５０】
オーディオアンプ２０２とスイッチャ２０３を接続する音声伝送線２３２が、プラグ・アンド・プレイ機能を持つか否かで動作が変わる。まず機能を持つ場合は、この機能をオーディオアンプ２０２とスイッチャ２０３の間で新たに行うことになるが、そのほかは図１の場合と同じである。一方機能を持たない場合は、オーディオアンプ２０２に実際に接続されるスピーカを、ユーザが装置に知らせるようにする。たとえば、リモコンを用いて接続されているチャネルを入力する、あるいは映像表示部をタッチパネル式にし、図２に示したような表示を出し、接続されているスピーカのマークに触れて入力するなどの方法が考えられる。なお各実施例において、映像表示装置１０１の持つスピーカが二個である場合を例にとって説明したが、一個、ないし三個以上であっても本発明は適用でき、本発明の記述と同様の発想で、これらを利用した多チャネルの音声再現を実現することができる。
【００５１】
次に図１０の装置ブロック図を用いて、本発明の別の実施例を述べる。図１におけるオーディオアンプ付スイッチャ２０１にＤＶＤやＳＴＢなどの映像・音声信号源が内蔵された場合を想定したものである。図１０において、２０２０１は映像信号源、２０２０２は音声信号源、２０２０３は映像信号切換えスイッチ、２０２０４は音声信号切換えスイッチ、２０２０５音声選択回路、２０１０９はＥＤＩＤ−ＲＡＭである、図４に示したものと同じ構成要素でも良いものは、同じ番号を付して示している。
【００５２】
図１０では、ＥＤＩＤ−ＲＡＭ２０１０９を用いているが、図４の説明でもふれた通り、図４の複数のＥＤＩＤを切換えるものと同様な働きをする。また、音声選択回路２０２０５を設けて、音声分離回路２０１０３の出力から映像表示装置１へ伝送する音声信号を抽出して音声重畳回路２０１１２へ送っているが、基本的に図４と同様な動作である、特に、外部の信号源３０１に対しては、図４と同様な動作なので、動作説明は省略する。
【００５３】
スイッチ２０２０３と２０２０４が内部の映像信号源２０２０１の映像出力と内部の音声信号源２０２０２の音声出力を選択する場合は、ＥＤＩＤデータのやりとりは必要無く、直接制御回路２０１０７が音声信号源２０２０２を直接制御（図示せず）して最適な音声チャネル再生数を設定する。他は外部信号源３０１と同様な動作となるので、省略する。
【００５４】
次に図１１の装置ブロック図を用いて、本発明の別の実施例を述べる。図１におけるオーディオアンプ付スイッチャ２０１にヘッドホン端子を設けた場合である。図１１において、２２６はスイッチャ２０１のヘッドホン端子（図示せず）とヘッドホンを接続するヘッドホンケーブル、２０２０７はヘッドホン検出回路である。図１０に示したものと同じ構成要素でも良いものは、同じ番号を付して示している。基本動作は図１０と同様なので省略し、ヘッドホン接続動作に絞って以下，説明する。
【００５５】
ヘッドホン端子にヘッドホンが接続されると、ヘッドホン検出回路２０２０７が、機械的な接点の開閉あるいはヘッドホンのインピーダンス検出により、ヘッドホンの接続を検出する。ヘッドホン検出信号が音声出力回路２０１０５及び音声選択回路２０２０５へ入力され、スピーカケーブル２２０〜２２５への音声出力及び音声重畳回路２０１１２への音声出力を止める（無音化する）ものである。これにより、スイッチャ２０１に接続されたスピーカや映像表示装置１に接続されたスピーカ全ての音出力を停止させることができる。映像表示装置に接続された音を止める場合は、上記の音声重畳回路２０１１２の入力を無音化する以外に、映像表示装置１の音量を下げるよう制御信号を映像表示装置に送る方法もある。
【００５６】
ここで、例えばヘッドホン接続前に５．１ｃｈのスピーカ配置を取っていたとすると、接続されたヘッドホンがステレオやモノラルかなど音声再生チャネル数が減る。このチャネル数の変化を制御２０１０７経由で２０２０６のＥＤＩＤ−ＲＡＭのスピーカ配置情報を書換えると共に、スイッチ２０１０１のホットプラグ機能を用いて、信号源３０１へ知らせ、ヘッドホンに適した音声データを信号源３０１が出力するものである。
【００５７】
次に図１２の映像表示部のブロック図を用いて、本発明の別の実施例を述べる。図１における映像表示部１０１にヘッドホン端子を設けた場合である。図１２において、１２３は映像表示部１０１のヘッドホン端子（図示せず）とヘッドホンを接続するヘッドホンケーブル、１０１１３はヘッドホン検出回路、１０１１４はＥＤＩＤ−ＲＡＭである。図６のＥＤＩＤ−１とＥＤＩＤ−２をスイッチ１０１１１で切換える部分は図１０の実施例と同様にＥＤＩＤ−ＲＡＭで代用している。その他、図６に示したものと同じ構成要素でも良いものは、同じ番号を付して示している。基本動作は図６と同様なので省略し、ヘッドホン接続動作に絞って以下、説明する。
【００５８】
ヘッドホン端子にヘッドホンが接続されると、ヘッドホン検出回路１０１１３が、機械的な接点の開閉あるいはヘッドホンのインピーダンス検出により、ヘッドホンの接続を検出する。ヘッドホン検出信号が音声出力回路１０１０５へ入力され、スピーカケーブル１２１，１２２への音声出力を止める（無音化する）ものである。これにより、映像表示部１０１に接続されたスピーカの音出力を停止させることができる。
【００５９】
ここで、例えばヘッドホン接続前にスピーカが接続されていなかったとすると、ヘッドホンを接続したことにより、音声再現機能が付加されてことになる。この変化を制御１０１０７経由で１０１１４のＥＤＩＤ−ＲＡＭのスピーカ配置情報を書換えると共に、スイッチ２１０１０１のホットプラグ機能を用いて、音声出力装置やスイッチャなどの音声処理装置（図示せず）へ知らせ、ヘッドホンに適した音声データを映像表示部が受け取り、ヘッドホンで音再現するものである。また、プラグ・アンド・プレイ機能付映像音声伝送線２３１に接続された音声処理装置がスピーカが接続されたオーディオアンプであるとすると、これらのスピーカの音出力も同時に停止させる必要がある。このためには、前述したＥＤＩＤ−ＲＡＭのスピーカ配置情報の書換えでオーディオアンプへ知らせることができる。
【００６０】
また、図示していないが、専用の制御線やリモコンを併用すれば、オーディオアンプを直接制御してスピーカを無音化することができる。制御線やリモコン併用する方法は、映像表示部１０１にステレオスピーカが接続されている時に、ステレオヘッドホンが接続されると、ＥＤＩＤ−ＲＡＭのスピーカ配置が同一であるため区別できなくなる際に有効である。
【００６１】
以上の実施形態の説明では、スイッチャ２０１が映像音声信号源３０１や３０２、または映像表示装置１と分離されているが、映像音声信号源３０１や３０２または映像表示装置１がスイッチャ２０１内蔵する構成でもよい。この場合、スイッチャ２０１から映像音声信号源３０１や３０２に対し接続情報を送信する構成は省かれるが、検出された接続状態に応じたチャネル数制御の構成は、前述の実施例と変わらない。
【００６２】
更に、テレビジョン放送信号に番組情報が重畳されている場合には、その番組情報に基づき音声のチャネル数制御を行ってもよい。番組情報は、電子番組ガイドをディスプレイ上に表示するために用いられる。この番組ガイドは、通常、各チャンネルの将来における番組のスケジュールを表す。また、番組情報は、番組のタイトル、放送局名(Ch番号)、番組の放送開始及び終了時刻、その番組の種類(映画、ニュース、ドラマ等)、その番組で再生される音声のチャネル数に関するデータを含んでいる。
【００６３】
番組がニュースの場合は２Chの音声信号が、映画や音楽番組であれば、５．１Chもしくは７．１Chの音声信号が、それぞれの番組の放送信号に重畳される場合が多い。よって、ニュースの放送信号に対しては、音声チャネル数が２Chであることを示すデータが、映画や音楽番組の放送信号に対しては音声チャネル数が５．１Chもしくは７．１Chであることを示すデータが付加される。
【００６４】
従って、本発明の他の実施形態として、ユーザが選局した番組の放送信号から番組情報を抜き出し、その抜き出された番組情報に含まれる音声チャンネル数のデータに従って、音声Ch数制御回路で音声信号源３０１０２を制御するようにしてもよい。従って、ニュース番組を選局し、その放送信号に音声チャネル数が２Chであることを示すデータが付加されたいる場合は、たとえ装置が５．１Chのスピーカを有する場合でも２Chで音声が再生される。一方、映画番組を選局し、その放送信号に音声チャネル数が５．１Chであることを示すデータが付加され、かつ装置が５．１Chのスピーカを有する場合は、全てのスピーカを活用して音声の再生を行う。このように構成することによって、番組の内容に応じた、自動的な音声チャネル数制御が実現できる。
【００６５】
更に、本発明では、２Chの音声信号しか付加されていない映画も、その番組が上記番組情報に含まれる番組種類のデータで「映画」であることが判明すれば、その番組を５．１Chで擬似再生することが可能である。また、７．１Chの音声信号しか付加されているニュースでも、その番組が上記番組情報に含まれる番組種類のデータで「ニュース」であることが判明すれば、その番組を２Chで擬似再生することも可能である。すなわち、この実施形態では、再生すべき音声チャネル数を決定するためのデータとして、番組情報に含まれるチャネル数データよりも、番組種別のデータを優先して用いることを特徴とするものである。
【００６６】
より具体的に説明すれば、テレビジョン放送信号を受信する回路を備えた映像音声信号源３０１は、受信番組の番組情報中の番組情報が「映画」を示す場合は５．１Chもしくは７．１Chで音声を再生し、番組情報が「ニュース」を示す場合は２Chで音声を再生するためのデータを予め記憶する。つまり、番組の種類に対応した適切な再生音声チャンネル数のデータを、番組の種類毎に予め設定してテーブルを構成する。このテーブル内のデータを、再生される音声チャネル数の初期設定として用いる。上記テーブルは、図示しないマイクロコンピュータ内のメモリ、または別のメモリに格納してもよい。映像音声信号源３０１(に内蔵されるマイクロコンピュータ)は、受信したテレビジョン放送信号から番組情報を抽出し、その番組情報中に含まれる番組種類のデータの内容を判別する。その判別結果は、上記メモリに格納されたテーブルと参照され、そしてマイクロコンピュータは、判別した番組種類と対応する再生音声チャネル数のデータを、上記メモリから読み出す。この再生音声チャネル数のデータを使用して、番組音声Ch数制御回路は、音声信号源３０１０２を制御して再生される音声のチャンネル数を制御する。このような構成により、番組の種類に応じた、適切なチャネル数で音声を再生することが可能となる。上記テーブルを使用した再生音声チャネル数制御は、ユーザが許可／禁止を選択できるようにしてもよい。その場合は、OSD回路を用いて、その選択に関するメッセージをディスプレイ上に表示し、ユーザと対話的に行うようにすることが好ましい。
【符号の説明】
【００６７】
１…映像表示装置、１０１…映像表示部、１１１…表示部の持つ右スピーカ（Ｒ）、１１２…表示部の持つ左スピーカ（Ｌ）、１２１，１２２…スピーカケーブル、２…音声再現装置、２０１…オーディオアンプ付スイッチャ、２０２…オーディオアンプ、２０３…スイッチャ、２１０…スイッチャに接続された中央スピーカ（Ｃ）、２１１…スイッチャに接続された前右スピーカ（ＦＲ）、２１２…スイッチャに接続された前左スピーカ（ＦＬ）、２１３…スイッチャに接続された後右スピーカ（ＲＲ）、２１４…スイッチャに接続された後左スピーカ（ＲＬ）、２１５…スイッチャに接続されたサブウーハ（Ｓ）、２２１〜２２５…スピーカケーブル、２３１…プラグ・アンド・プレイ機能付映像音声伝送線、２３２…音声伝送線、３…信号源、３０１…映像音声信号源、３０２…映像音声信号源、３３１，３３２…プラグ・アンド・プレイ機能付映像音声伝送線。
【図１】
2010035216.tif 000003
【図２】
2010035216.tif 000004
【図３】
2010035216.tif 000005
【図４】
2010035216.tif 000006
【図５】
2010035216.tif 000007
【図６】
2010035216.tif 000008
【図７】
2010035216.tif 000009
【図８】
2010035216.tif 000010
【図９】
2010035216.tif 000011
【図１０】
2010035216.tif 000012
【図１１】
2010035216.tif 000013
【図１２】
2010035216.tif 000014
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
第１のスピーカ及び表示部を有するとともに、第２のスピーカが接続されたオーディオアンプ装置とケーブルを介して接続可能であり、前記表示部で表示された映像に対応する音声を前記第１のスピーカまたは前記第２のスピーカで出力するように構成された映像表示装置において、
前記映像表示装置が有する前記第１のスピーカで音声出力するための操作が為された場合は、前記オーディオアンプ装置に接続された第２のスピーカの音声出力を停止し、前記オーディオアンプ装置に接続された前記第２のスピーカで音声出力するための操作が為された場合は、前記映像表示装置が有する前記第１のスピーカの音声出力を停止するように構成したことを特徴とする映像表示装置。
【請求項２】
第１のスピーカ及び表示部を内蔵するとともに、第２のスピーカが接続されたオーディオアンプ装置とケーブルを介して接続可能であり、前記表示部で表示された映像に対応する音声を前記第１のスピーカまたは前記第２のスピーカで出力するように構成された映像表示装置において、
前記表示映像に対応する音声を出力するためのスピーカとして、前記映像表示装置に内蔵された前記第１のスピーカ、及び前記オーディオアンプ装置に接続された第２のスピーカのいずれかをユーザにより指定可能に構成されており、かつ、
前記第１のスピーカが指定された場合は前記第２のスピーカによる音声出力を停止するように前記オーディオアンプ装置を制御し、前記第２のスピーカが指定された場合は前記第１のスピーカからの音声出力を停止するように制御するとともに前記第２のスピーカから音声出力させるように前記オーディオアンプ装置を制御するように構成されていることを特徴とする映像表示装置。
【請求項３】
請求項２に記載に映像表示装置において、前記スピーカの指定が前記表示部に表示されるメニュー画面を介して行われるようにしたことを特徴とする映像表示装置。
【請求項４】
請求項２に記載の映像表示装置において、前記ケーブルは制御線を含み、該制御線を介して前記オーディオアンプ装置を制御するようにしたことを特徴とする映像表示装置。
【請求項５】
請求項１または２に記載の映像表示装置において、前記第１のスピーカ及び第２のスピーカの両方を用いて複数チャネルの音声信号を再生可能にしたことを特徴とする映像表示装置。
【請求項６】
映像表示装置の表示部で表示される映像に対応する音声を、前記映像表示装置が内蔵する第１のスピーカまたは前記映像表示装置とケーブルを介して接続可能なオーディオアンプ装置に接続された第２のスピーカにより出力するための音声出力方法において、
前記映像表示装置が内蔵する前記第１のスピーカで前記表示映像に対応する音声を出力するための操作が為された場合は、前記オーディオアンプ装置を制御して前記第２のスピーカをミュートし、
前記オーディオアンプ装置に接続された前記第２のスピーカで前記表示映像に対応する音声を出力するための操作が為された場合は、前記第２のスピーカを動作させるように前記オーディオアンプ装置を制御し、かつ前記映像表示装置が内蔵する前記第１のスピーカをミュートすることを特徴とする音声出力方法。
【請求項７】
映像を表示する表示部及び音声を出力する第１のスピーカを備えた映像表示装置と、第２のスピーカとが接続可能であって、前記映像表示装置の表示部で表示された映像に対応する音声を前記第２のスピーカで出力可能に構成されたオーディオアンプ装置において、
前記映像表示装置が有する前記第１のスピーカで音声出力するための操作が為された場合は、前記オーディオアンプ装置に接続された第２のスピーカの音声出力を停止するように前記映像表示装置により制御され、かつ
前記オーディオアンプ装置に接続された前記第２のスピーカで音声出力するための操作が為された場合は、該第２のスピーカから音声を出力させるように前記映像表示装置により制御されることを特徴とするオーディオアンプ装置。
【請求項８】
映像を表示する表示部及び音声を出力する第１のスピーカを備えた映像表示装置と、第２のスピーカとが接続可能なオーディオアンプ装置とを有する映像音声出力システムにおいて、
前記映像表示装置と前記オーディオアンプ装置とがケーブルを介して接続可能であって、かつ前記映像表示装置の表示部で表示された映像に対応する音声を前記映像表示装置が有する第１のスピーカまたは前記オーディオアンプ装置に接続された第２のスピーカのいずれかで出力可能に構成されており、
前記音声を出力するスピーカとして、ユーザにより前記第１のスピーカが指定された場合は、前記映像表示装置によって、前記ケーブルを介して前記第２のスピーカによる音声出力を停止するように前記オーディオアンプ装置を制御し、前記第２のスピーカが指定された場合は、前記第１のスピーカからの音声出力を停止するとともに、前記映像表示装置によって、前記ケーブルを介して前記第２のスピーカから音声出力させるように前記オーディオアンプ装置を制御することを特徴とする映像音声出力システム。
【手続補正３】
【補正対象書類名】明細書
【補正対象項目名】００１０
【補正方法】変更
【補正の内容】
【００１０】
本発明は、第１のスピーカ及び表示部を有するとともに、第２のスピーカが接続されたオーディオアンプ装置とケーブルを介して接続可能であり、前記表示部で表示された映像に対応する音声を前記第１のスピーカまたは第２の前記スピーカで出力するように構成された映像表示装置において、
前記映像表示装置が有する前記第１のスピーカで音声出力するための操作が為された場合は、前記オーディオアンプ装置に接続された第２のスピーカの音声出力を停止し、前記オーディオアンプ装置に接続された前記第２のスピーカで音声出力するための操作が為された場合は、前記映像表示装置が有する前記第１のスピーカの音声出力を停止するように構成したことを特徴とする。
【手続補正４】
【補正対象書類名】明細書
【補正対象項目名】００１１
【補正方法】変更
【補正の内容】
【００１１】
また本発明は、第１のスピーカ及び表示部を内蔵するとともに、第２のスピーカが接続されたオーディオアンプ装置とケーブルを介して接続可能であり、前記表示部で表示された映像に対応する音声を前記第１のスピーカまたは第２の前記スピーカで出力するように構成された映像表示装置において、
前記表示映像に対応する音声を出力するためのスピーカとして、前記映像表示装置に内蔵された前記第１のスピーカ、及び前記オーディオアンプ装置に接続された第２のスピーカのいずれかをユーザにより指定可能に構成されており、かつ、
前記第１のスピーカが指定された場合は前記第２のスピーカによる音声出力を停止するように前記オーディオアンプ装置を制御し、前記第２のスピーカが指定された場合は前記第１のスピーカからの音声出力を停止するように制御するとともに前記第２のスピーカから音声出力させるように前記オーディオアンプ装置を制御するように構成されていることを特徴とする。
【手続補正５】
【補正対象書類名】明細書
【補正対象項目名】００１２
【補正方法】変更
【補正の内容】
【００１２】
更にまた本発明は、映像表示装置の表示部で表示される映像に対応する音声を、前記映像表示装置が内蔵する第１のスピーカまたは前記映像表示装置とケーブルを介して接続可能なオーディオアンプ装置に接続された第２のスピーカにより出力するための音声出力方法において、
前記映像表示装置が内蔵する前記第１のスピーカで前記表示映像に対応する音声を出力するための操作が為された場合は、前記オーディオアンプ装置を制御して前記第２のスピーカをミュートし、
前記オーディオアンプ装置に接続された前記第２のスピーカで前記表示映像に対応する音声を出力するための操作が為された場合は、前記第２のスピーカを動作させるように前記オーディオアンプ装置を制御し、かつ前記映像表示装置が内蔵する前記第１のスピーカをミュートすることを特徴とする。
【手続補正６】
【補正対象書類名】明細書
【補正対象項目名】００１３
【補正方法】削除
【補正の内容】